(57)【要約】  ベース部材２の上面に弾性支持部材６が上下方向に伸縮するように取り付けられ、弾性支持部材６の上端に容器保持部４が取り付けられている。容器保持部４の側方にシャフト１２が設けられ、シャフト１２の基端部がベース部材２の側面の軸１３に回動可能に取り付けられている。シャフト１２の先端部に蓋部１４が設けられており、シャフト１２の回動によって蓋部１４が円弧を描いて移動する。蓋部１４はシャフト１２が直立状態のときに容器８の直上に配置される。シャフト１２は開放位置側へ付勢されており、開動作防止機構が解除されるとシャフト１２が自動的に開放位置側へ移動して、容器８の上面が開放される。
2013094238.tif 000002
【特許請求の範囲】
【請求項１】
ベース部材と、
前記ベース部材上に設けられ上下方向に伸縮可能な弾性支持部材と、
前記弾性支持部材により上方に付勢され、液を収容した容器をその上面を開放させた状態で保持するとともに、上下方向に変位可能に支持されている容器保持部と、
前記容器保持部に保持された前記容器の上面を封止するための蓋部を有し、前記蓋部で前記容器保持部に保持された前記容器の上面を封止するための封止位置と前記封止位置とは異なる位置である開放位置との間で回動するように前記ベース部材に回動可能に取り付けられた容器開閉部材と、
前記容器開閉部材を前記開放位置側へ付勢する弾性体からなる付勢部材と、
前記容器開閉部材を前記封止位置で停止させ、前記容器保持部が所定の高さまで下降させられたときに解除され、前記容器開閉部材が前記付勢部材の弾性力により前記開放位置へ回動するように構成されている開動作防止ストッパと、を備えた容器設置機構。
【請求項２】
前記弾性支持部材は、前記容器開閉部材が前記封止位置で前記容器保持部に保持されている容器の上面を封止しているときに圧縮状態となって前記容器保持部を前記蓋部側へ付勢するものであり、
前記容器保持部に保持されている容器の上面の縁にシール部材が取り付けられている請求項１に記載の容器設置機構。
【請求項３】
前記弾性支持部材の弾性力によって互いに係合するように前記容器保持部側と前記容器開閉部材側に設けられ、前記容器開閉部材が前記開放位置側から前記封止位置まで回動する際に、前記容器保持部に保持されている容器の上面が、前記容器開閉部材が前記封止位置にあるときの前記蓋部の高さである封止高さよりも低い位置から上昇して前記容器開閉部材が前記封止位置にきたときに前記封止高さに到達するように、前記容器保持部の上下動を前記容器開閉部材の回動に連動させる連動機構をさらに備えている請求項１又は２に記載の容器設置機構。
【請求項４】
前記連動機構は、前記容器開閉部材に設けられたローラ及び前記ローラと当接するように前記容器保持部に設けられ前記弾性支持部材の弾性力によって前記ローラ側へ付勢されている追従面を備えており、
前記追従面は、前記容器開閉部材が前記開放位置と前記封止位置との間で移動する際に前記ローラが通過する範囲に前記容器の上面を前記封止高さよりも低い高さに抑えるための湾曲した頂点を備えており、
前記ローラが前記頂点よりも前記開放位置側にあるときは前記付勢部材の弾性力により前記容器開閉部材が前記開放位置へ自動的に回動し、前記ローラが前記頂点よりも封止位置側にあるときは前記弾性支持部材の弾性力により前記容器開閉部材が前記封止位置へ自動的に回動するようになっている請求項３に記載の容器設置機構。
【請求項５】
前記開動作防止ストッパは、前記容器開閉部材が前記封止位置にある状態において、前記追従面の前記頂点の高さが前記ローラの高さよりも低くなるまで前記容器保持部が押し下げられ、前記ローラが前記付勢部材の弾性力によって前記頂点よりも開放位置側へ移動することにより解除されるものである請求項４に記載の容器設置機構。
【請求項６】
前記ローラが前記追従面の前記頂点よりも前記開放位置側にあるときに前記ローラの周面と接する前記追従面の形状は、前記ローラの周面が描く円弧形状と同一形状であり、前記追従面の前記頂点よりも前記開放位置側における前記ローラの移動に際して前記容器保持部は上下動しないようになっている請求項４又は５に記載の容器設置機構。
【請求項７】
請求項１から６のいずれか一項に記載の容器設置機構と、
前記容器設置機構に設置された容器から液を吸引するためのニードル及び前記ニードルに吸引力を付与するシリンジポンプを含むサンプリング機構と、
前記ニードルと一体に取り付けられ、前記容器設置機構の前記容器保持部を下方向へ押し下げるための押圧棒と、
前記サンプリング機構及び前記押圧棒の動作を制御する制御部であって、前記サンプリング機構によるサンプリング動作を行なう前に、前記押圧棒で前記容器保持部を所定の高さまで押し下げることにより前記開動作防止ストッパを解除するように構成された開放手段を備えている制御部と、を備えたオートサンプラ。
【請求項８】
前記容器設置機構は請求項４から６のいずれか一項に記載の容器設置機構であり、
前記制御部は、前記サンプリング動作の後に、前記容器開閉機構のローラが前記容器保持部の前記追従面の前記頂点よりも前記封止位置側に到達するまで、前記押圧棒で前記容器開閉機構を押して回動させることで容器の上面を封止するように構成された封止手段をさらに備えている請求項７に記載のオートサンプラ。
【発明の詳細な説明】
【技術分野】
【０００１】
本発明は、サンプルや試薬などの液を収容した容器をオートサンプラ内に設置するための容器設置機構とその容器設置機構を備えたオートサンプラに関するものである。
【背景技術】
【０００２】
従来から、分析装置にサンプルや試薬などの液を供給する装置としてオートサンプラが用いられている。そのようなオートサンプラとして、水平方向と垂直方向に駆動されるニードルやニードルに吸引力を付与するシリンジポンプを備えたものが挙げられる。オートサンプラには、ニードルによって採取されるサンプルや試薬などの液を収容しておく容器を設置する場所が設けられており、必要に応じてニードルが採取すべき液の入った容器が設置されている場所まで移動し、液を吸引するようになっている（特許文献１参照。）。
【先行技術文献】
【特許文献】
【０００３】
【特許文献１】特開平８−１５２７４号公報
【発明の概要】
【発明が解決しようとする課題】
【０００４】
上記のようなオートサンプラでは、液を収容した容器の上面を開放した状態で装置内に長時間設置しておくと容器内の液が蒸発し、試薬量が減ってしまったりサンプル液の溶媒量が減ってサンプル濃度が変化しまったりするなどの問題があった。そのため、容器の上面をセプタム等で封止して蒸発を防ぐなどしていた。しかし、容器の上面がセプタムで封止されていると、液を吸引しようとする度にニードルでセプタムを破る必要があり、ニードルとセプタムの接触により汚染が発生するなどの問題がある。【０００５】
各容器にキャップをした状態で装置に設置することも考えられるが、そうすると、容器のキャップを取り外すための機構をオートサンプラに設ける必要があり、装置のコストが高くなってしまう。【０００６】
そこで、本発明は、液を収容した容器の上面を封止した状態でオートサンプラ内に設置でき、オートサンプラが容器の上面を容易に開放することができるようにすることを目的とするものである。
【課題を解決するための手段】
【０００７】
本発明にかかる容器設置機構は、ベース部材と、ベース部材上に設けられ上下方向に伸縮可能な弾性支持部材と、弾性支持部材により上方に付勢され、液を収容した容器をその上面を開放させた状態で保持するとともに、上下方向に変位可能に支持されている容器保持部と、容器保持部に保持された容器の上面を封止するための蓋部を有し、蓋部で容器保持部に保持された容器の上面を封止するための封止位置と封止位置とは異なる位置である開放位置との間で回動するようにベース部材に回動可能に取り付けられた容器開閉部材と、容器開閉部材を開放位置側へ付勢する弾性体からなる付勢部材と、容器開閉部材を封止位置で停止させ、容器保持部が所定の高さまで下降させられたときに解除され、容器開閉部材が付勢部材の弾性力により開放位置へ回動するように構成されている開動作防止ストッパと、を備えたものである。【０００８】
上記の容器設置機構を備えた本発明のオートサンプラは、容器設置機構に設置された容器から液を吸引するためのニードル及びニードルに吸引力を付与するシリンジポンプを含むサンプリング機構と、上記ニードルと一体に取り付けられ、容器設置機構の容器保持部を下方向へ押し下げるための押圧棒と、サンプリング機構及び押圧棒の動作を制御する制御部を備えている。そして、制御部は、サンプリング機構によるサンプリング動作を行なう前に、押圧棒で容器保持部を所定の高さまで押し下げることにより開動作防止ストッパを解除するように構成された開放手段を備えている。【０００９】
本発明の容器設置機構において、弾性支持部材は容器開閉部材が封止位置で容器保持部に保持されている容器の上面を封止しているときに圧縮状態となって容器保持部を蓋部側へ付勢するものであり、容器保持部に保持されている容器の上面の縁にシール部材が取り付けられていることが好ましい。そうすれば、容器保持部に保持されている容器の上面の封止をより確実に行なうことができる。【００１０】
また、本発明の容器設置機構では、弾性支持部材の弾性力によって互いに係合するように容器保持部側と容器開閉部材側に設けられ、容器開閉部材が開放位置側から封止位置まで回動する際に、容器保持部に保持されている容器の上面が、容器開閉部材が封止位置にあるときの蓋部の高さである封止高さよりも低い位置から上昇して容器開閉部材が封止位置にきたときに封止高さに到達するように、容器保持部の上下動を容器開閉部材の回動に連動させる連動機構をさらに備えていることが好ましい。そうすれば、容器開閉部材を封止位置側へ回動させようとしたときに容器保持部に保持されている容器が干渉して容器開閉部材の回動が阻害されることを防止でき、容器の上面の封止動作が容易になる。【００１１】
連動機構としては、前記容器開閉部材に設けられたローラ及びローラと当接するように容器保持部に設けられ弾性支持部材の弾性力によってローラ側へ付勢されている追従面を備えており、追従面は、容器開閉部材が開放位置と封止位置との間で移動する際にローラが通過する範囲に容器の上面を封止高さよりも低い高さに抑えるための湾曲した頂点を備えており、ローラが頂点よりも開放位置側にあるときは付勢部材の弾性力により容器開閉部材が開放位置へ自動的に回動し、ローラが頂点よりも封止位置側にあるときは弾性支持部材の弾性力により容器開閉部材が封止位置へ自動的に回動するようになっているものが挙げられる。連動機構をこのような構成にすることで、構造を簡単なものにすることができ、コストを抑えることができる。【００１２】
連動機構が上記構成である場合、開動作防止ストッパは、容器開閉部材が封止位置にある状態において、追従面の頂点の高さがローラの高さよりも低くなるまで容器保持部が押し下げられ、ローラが付勢部材の弾性力によって頂点よりも開放位置側へ移動することにより解除される。【００１３】
上記連動機構の構成では、容器開閉部材を開放位置から封止位置まで回動させる際、ローラが頂点よりも封止位置側の位置にくるように容器開閉部材を回動させた後は弾性支持部材の弾性力によって容器開閉部材が封止位置へ自動的に回動するようになっている。そこで、ローラが追従面の頂点よりも開放位置側にあるときにローラの周面と接する追従面の形状を、ローラの周面が描く円弧形状と同一形状とし、追従面の頂点よりも開放位置側におけるローラの移動に際して容器保持部が上下動しないようにすることで、ローラが追従面の頂点よりも封止位置側の位置にくるまで容器開閉部材を回動させる際に弾性支持部材を圧縮させる力が不要となる。これにより、ローラを追従面の頂点よりも封止位置側へ移動させるために必要な力が小さくてすみ、容器開閉部材を封止位置へ回動させる動作が容易になる。【００１４】
本発明のオートサンプラでは、制御部が、サンプリング動作の後に、容器開閉機構のローラが容器保持部の追従面の頂点よりも封止位置側に到達するまで、押圧棒で容器開閉機構を押して回動させることで容器の上面を封止するように構成された封止手段をさらに備えているようにすれば、サンプリングが終了した後にオートサンプラが容器の上面を自動的に封止するようになり、容器に収容されている液の蒸発を防止することができる。
【発明の効果】
【００１５】
本発明の容器設置機構は、液を収容した容器をその上面を開放させた状態で保持する容器保持部と、容器保持部に保持された容器の上面を封止するための蓋部を有し、蓋部を容器保持部に保持された容器の上面を封止するための封止位置と封止位置とは異なる位置である開放位置との間で回動するようにベース部材に回動可能に取り付けられた容器開閉部材を備えているので、容器保持部に保持された容器の上面の開閉が可能である。【００１６】
そして、容器保持部が弾性支持部材により上方に付勢されるとともに上下方向に変位可能に支持され、容器開閉部材を封止位置で停止させ、容器保持部が所定の高さまで下降させられたときに解除され、容器開閉部材が付勢部材の弾性力により開放位置へ回動するように構成されている開動作防止ストッパと、容器開閉部材を開放位置側へ付勢する弾性体からなる付勢部材を備えているので、容器保持部を所定の高さまで下降させるだけで開動作防止ストッパを解除して容器の上面を開放することができる。開動作防止ストッパを解除するための機構として、上下方向に駆動する機構で良いので、回転機構などの複雑な機構が不要であり、例えばニードルを上下動させるような、従来からオートサンプラに設けられている機構を利用して開動作防止ストッパを解除するための機構を構成することができる。【００１７】
本発明のオートサンプラは、ニードルと一体に取り付けられた押圧棒により容器保持部を押し下げて容器の上面を自動で開放するようになっているので、ニードルを上下方向に移動させるための駆動系を利用して容器の開放を容易に行なうことができ、容器の上面を開放するために新たな駆動系を設ける必要がない。
【図面の簡単な説明】
【００１８】
【図１】容器設置機構の一実施例の構造を示す斜視図である。
【図２】同実施例の連動機構について説明するための側面透視図である。
【図３】同実施例の容器保持部に保持された容器の上面の開放動作を説明するための側面透視図である。
【図４】同実施例の容器保持部に保持された容器の上面の封止動作を説明するための側面透視図である。
【図５】オートサンプラの一実施例を説明するための概略構成図である。
【図６】同実施例の動作を示すフローチャートである。
【発明を実施するための形態】
【００１９】
液を収容した容器をオートサンプラに設置するための容器設置機構の一実施例について図１を用いて説明する。
この実施例の容器設置機構は、ベース部材２上に２つの容器保持部４を備えている。２つの容器保持部４はそれぞれ独立して上下方向に変位可能に支持されており、各容器保持部４に保持される容器８の上面の開閉も互いに独立して行なわれるようになっている。これら２つの容器保持部４を支持する構造や容器８の上面を開閉する機構の構造は同一である。
【００２０】
ベース部材２はほぼ立方体形状であり、その上面にコイルバネからなる２つの弾性支持部材６が上下方向に伸縮するように取り付けられている。それぞれの弾性支持部材６の上端に容器保持部４が圧縮された状態で取り付けられている。弾性支持部材６はコイルバネ以外のバネでもよく、バネ以外の弾性部材でもよい。容器保持部４は上面に容器８を収容するための穴を備えている。容器保持部４に保持される容器８にはオートサンプラで扱われる液が収容される。
【００２１】
それぞれの容器保持部４の側方にシャフト１２が設けられている。シャフト１２の基端部はベース部材２の互いに対向する２つの側面に設けられた軸１３に回動可能に取り付けられている。シャフト１２の先端部に蓋部１４が設けられており、シャフト１２が軸１３を回転中心として回動することにより、蓋部１４は円弧を描くように移動する。蓋部１４はシャフト１２の先端から容器保持部４側へ垂直に延びており、シャフト１２が直立状態になったときに容器保持部４に保持された容器８の直上に配置されるようになっている。シャフト１２及び蓋部１４は容器保持部４に保持された容器８の上面の封止と開放を行なうための容器開閉部材を構成している。
【００２２】
シャフト１２の直立状態となっているときの位置を「封止位置」、直立状態から一定角度だけ回動した位置を「開放位置」と規定する。容器保持部４に保持される容器８の上面の縁には、弾力性をもつ樹脂からなるシール部材９が装着され、蓋部１４による封止性能を高めている。シャフト１２の回動と容器保持部４の上下動との関係については後述するが、シャフト１２が封止位置にきたときに容器保持部４に保持された容器８の上面のシール部材９が蓋部４の下面に接する高さにくるようになっている。このとき、シール部材９は弾性支持部材６により蓋部１４に押し付けられた状態となる。
【００２３】
シャフト１２はバネ１８（付勢部材）によって開放位置側へ付勢されている。シャフト１２は直立状態から一定角度だけ回動した位置においてストッパ２０により停止するようになっている。
【００２４】
シャフト１２の回動と容器保持部４の上下動とを連動させるために、追従面１０とローラ１６を備えた連動機構が設けられている。ローラ１６はシャフト１２の容器保持部４側に取り付けられている。追従面１０は容器保持部４のシャフト１２側の側面のローラ１６に当接し得る位置に形成されている。容器保持部４は弾性支持部材６の弾性力によって上向きに付勢されており、これによって追従面１０はローラ１６側へ付勢されている。追従面１０とローラ１６は、ローラ１６が追従面１０の後述する谷部１０ａにあるときを除いて当接している。
【００２５】
図２に示されているように、ローラ１６は蓋部１４と同様にシャフト１２の回動によって円弧を描くように移動する。容器保持部４は弾性支持部材６によって付勢されているため、ローラ１６が移動するとそのローラ１６を追従面１０に追従させるように容器保持部４が上下動する。追従面１０は緩やかな曲線を有し、シャフト１２が封止位置にきたときにローラ１６が落ち込む谷部（底点）１０ａを備え、シャフト１２が封止位置から一定角度だけ開放位置側へ回動したときにローラ１６が接する位置に山部（頂点）１０ｂを備えている。谷部１０ａの両側はともに上り傾斜となっており、山部１０ｂの両側はともに下り傾斜となっている。
【００２６】
追従面１０の形状により、シャフト１２を開放位置側から封止位置側へ（図において左側へ）移動させると容器保持部４が弾性支持部材６により押されて徐々に上昇し、シャフト１２が封止位置にきたときに容器保持部４に保持されている容器８の上面のシール部材９が蓋部１４の下面に接するようになっている。このとき、追従面１０の谷部１０ａの高さは容器８のシール部材９が蓋部１４の下面に接することによって停止したローラ１６よりも低くなるように設定されている。これにより、弾性支持部材６の弾性力によって容器８のシール部材９が蓋部１４の下面に押し付けられる。シャフト１２の封止位置側への回動に連動して容器保持部４が徐々に上昇するため、シャフト１２の回動中に蓋部１４が容器８に接することなく、シャフト１２をスムーズに封止位置まで回動させることができる。そして、シャフト１２が封止位置にきたときに容器保持部４に保持されている容器８の上面が蓋部１４によってシール部材９を介して封止される。
【００２７】
なお、追従面１０の、ローラ１６が追従面１０の山部１０ｂよりも開放位置側で移動するときにローラ１６と接する部分１０ｃ（図２）は、この区間においてローラ１６の周面が描く円弧軌道と同一の形状になっていることが好ましい。そうすれば、この区間をローラ１６が移動する際に容器保持部４は上下動せず、この区間におけるシャフト１２の回動をスムーズに行なうことができる。
【００２８】
既述のように、容器保持部４には弾性支持部材６の弾性力によって上昇方向の力が常に作用している。ローラ１６が追従面１０の谷部１０ａと山部１０ｂの間にある状態では、弾性支持部材６の弾性力によって容器保持部４が上昇し、それに伴なってローラ１６が追従面１０の谷部１０ａへ向かい、容器８のシール部材９が蓋部材１４の下面に接することで停止する。すなわち、ローラ１６が追従面１０の谷部１０ａと山部１０ｂの間にある状態では、シャフト１２が封止位置側へ自動的に移動し、封止位置で停止する。
【００２９】
ここで、シャフト１２はバネ１８によって開放位置側へ付勢されているが、ローラ１６が追従面１０の谷部１０ａと山部１０ｂの間にある状態においては、ローラ１６に弾性支持部材６の弾性力による力がバネ１８の弾性力による力よりも強く作用するように、弾性支持部材６の弾性力、バネ１８の弾性力及び追従面１０の谷部１０ａと山部１０ｂの間の傾斜角度が調整されている。
【００３０】
ローラ１６が追従面１０の谷部１０ａにある状態では、弾性支持部材６の弾性力がローラ１６をその位置に留まらせるように作用し、開動作防止ストッパを実現している。すなわち、シャフト１２が封止位置にあるときは開動作防止ストッパとしての機能が働き、蓋部１４が容器８の上面を封止した状態で維持される。
【００３１】
上記の開動作防止ストッパは、ローラ１６の高さが山部１０ｂの高さよりも高くなるまで、容器保持部４を下降させることにより解除することができる。容器保持部４を上方から押圧して下降させると、シャフト１２はバネ１８の弾性力によって開放位置側（図において右側）へ移動する（図３（Ａ）参照）。容器保持部４の上面には、容器保持部４を下方向へ押圧するためにオートサンプラに設けられた後述の押圧棒２４（図５）を挿入するための穴１１が設けられている（図１参照）。
【００３２】
そして、ローラ１６が山部１０ｂを超えた後は、山部１０ｂの谷部１０ａとは反対側の追従面１０は下り傾斜になっているため、弾性支持部材６の弾性力とバネ１８の弾性力がともにローラ１６を谷部１０ａとは反対側へ移動させる方向に作用する。これにより、ローラ１６が山部１０ｂを超えた後、シャフト１２は開放位置まで自動的に移動し、ストッパ２０により停止させられる（図３（Ｂ）参照）。シャフト１２が開放位置にあるときは、弾性支持部材６及びバネ１８の弾性力がともにシャフト１２に開放位置に留まらせる方向に作用し、閉動作防止ストッパを実現している。これにより、容器保持部４に保持されている容器８の上面が開放された状態で維持される。
【００３３】
この閉動作防止ストッパは、ローラ１６が山部１０ｂを超えるまでシャフト１２を封止位置側（図において左側）へ回動させることにより解除される（図４（Ａ）参照）。シャフト１２を封止位置側へ回動させることは、後述の押圧棒２４（図５）によりシャフト１２を封止位置側（図において左側）へ水平方向に一定距離だけ押圧することにより行なうことができる。ローラ１６が山部１０ｂを超えた後は、上述のように、弾性支持部材６の弾性力によって容器保持部４が上昇し、その上昇に連動してシャフト１２が封止位置まで自動的に回動する（図４（Ｂ）参照）。
【００３４】
以上のように、この実施例の容器設置機構は、容器保持部４に保持された容器８の上面を蓋部１４によって封止した状態でオートサンプラに設置することができる。容器８の上面を開放は、ローラ１６が山部１０ｂを超えることができる高さまで容器保持部４を下降させるだけで行なうことができる。すなわち、容器８の上面を開放するために必要な駆動系としては上下方向への駆動系のみでよく、回転方向や斜め方向の駆動系は不要である。オートサンプラは液の吸引や吐出を行なうニードルを上下方向に移動させる駆動系を備えており、その駆動系を利用して容器８の上面の開放を行なうことができる。
【００３５】
また、容器８の上面の封止は、ローラ１６が山部１０ｂを超えるまでシャフト１２を封止位置側（図において左側）へ水平方向に押圧するだけで行なうことができる。すなわち、容器８の上面を封止するために必要な駆動系としては水平方向への駆動系のみでよく、回転方向や斜め方向の駆動系は不要である。オートサンプラはニードルを水平面内方向に移動させる駆動系も備えており、その駆動系を利用して容器８の上面の封止を行なうことができる。
【００３６】
上記の容器設置機構を備えたオートサンプラについて図５を図１とともに参照しながら説明する。なお、図５においては容器設置機構の図示を省略している。
下方へ延びたニードル２２と押圧棒２４が共通の移動部２６に保持されている。ニードル２２は容器設置機構の容器保持部４に保持された容器８内に挿入され、その容器８内の液のサンプリングを行なうためのものである。ニードル２２はシリンジポンプ等からなる吸引・吐出機構３２により、液の吸引と吐出を行なう。押圧棒２４は容器設置機構の容器保持部４に保持されている容器８の上面の開閉を行なうためのものである。すなわち、容器８の上面を開放する際は容器保持部４の穴１１に押圧棒２４の先端を挿入して容器保持部４を一定の高さまで押し下げ、容器８の上面を封止する際は押圧棒２４の外周面で蓋部１４を封止位置側へ水平に押圧する。サンプリングの際に押圧棒２４が容器設置機構に干渉せず、かつ容器８の上面の開放と封止の際にニードル２２が容器設置機構に干渉しないように、ニードル２２と押圧棒２４が配置されている。
【００３７】
ニードル２２や押圧棒２４の水平面内方向と上下方向の移動を可能とするために、移動部２６を水平面内方向へ駆動する水平方向駆動機構２８と、移動部２６を上下方向へ駆動する上下方向駆動機構３０が設けられている。水平方向駆動機構２８、上下方向駆動機構３０及び吸引・吐出機構３２は制御部３４によって制御され、その動作の条件等は記憶装置４０に記憶されている。
【００３８】
制御部３４は開放手段３６と封止手段３８を備えている。開放手段３６は、サンプリング動作を行なう前にサンプリング対象の容器８の上面の開放動作を行なうように構成されたものである。封止手段３８は、サンプリング動作が終了した後でサンプリング対象であった容器８の上面の封止動作を行なうように構成されたものである。
【００３９】
上述のように、容器８の上面の開放動作は、容器保持部４の穴１１に先端を挿入して容器保持部４を一定の高さまで押し下げる動作であり、容器８の上面の封止動作は、押圧棒２４の外周面で蓋部１４を封止位置側へ水平に押圧する動作である。記憶装置４０には開放動作を実行するために必要な条件を記憶する開放条件記憶部４２と、封止動作を実行するために必要な条件を記憶する封止条件記憶部４４が設けられている。
【００４０】
開放条件記憶部４２に記憶される条件とは、容器保持部４の穴１１の位置座標や容器保持部４の押下げ量、押下げ速度などである。封止条件記憶部４４に記憶される条件とは、封止動作開始前後の押圧棒２４の位置座標や押圧棒２４の移動速度などである。制御部３４は開放条件記憶部４２と封止条件記憶部４４に記憶されている各条件に基づいて水平方向駆動機構２８及び上下方向駆動機構３０の動作を制御し、容器８の上面の開放と封止を行なう。
【００４１】
制御部３４による制御により、このオートサンプラでは、図６に示されているように、液の入った容器８を上面を封止した状態で保持する容器設置機構を設置するだけで、サンプリング対象の容器８の上面の開放（ステップＳ１）、サンプリング動作（ステップＳ２）、サンプリングの終了した容器８の上面の封止（ステップＳ３）が自動的に行なわれる。
【符号の説明】
【００４２】
２      ベース部材
４      容器保持部
６      弾性支持部材
８      容器
９      シール部材
１０      追従面
１１      穴（押圧棒挿入用）
１２      シャフト
１３      軸
１４      蓋部
１６      ローラ
１８      バネ
２０      ストッパ
２２      ニードル
２４      押圧棒
２６      移動部
２８      水平方向駆動機構
３０      上下方向駆動機構
３２      吸引・吐出機構
３４      制御部
４０      記憶装置
【図２】
2013094238.tif 000003
【図３】
2013094238.tif 000004
【図４】
2013094238.tif 000005
【図５】
2013094238.tif 000006
【図６】
2013094238.tif 000007
【図１】
2013094238.tif 000008
【国際調査報告】
2013094238.tif 000009
2013094238.tif 000010
2013094238.tif 000011
2013094238.tif 000012